(57)【要約】【課題】地理的に離れた複数のサイトのそれぞれに置かれた電話機を、同じ内線電話システムの内線電話機として取り扱えるようにする。【解決手段】ＰＢＸ１と、ＩＰ網７を介してＰＢＸ１に接続された複数のリモート装置５とを有する。リモート装置５は、電話機３を収容する少なくとも１つ収容する。また、リモート装置５は、ＰＢＸ１から送信されたＩＰパケットを受信し、当該ＩＰパケットから通話信号を抽出して、当該通話信号の送信先へ送信すると共に、自身が収容する電話機３より受信した通話信号をＩＰパケット化して、ＰＢＸ１へ送信する。ＰＢＸ１は、リモート装置５より受信したＩＰパケットの宛先を、当該ＩＰパケットに格納されている通話信号の送信先を収容するリモート装置５に変更して送信する。【選択図】図１
2006067372.tif 000002
【特許請求の範囲】
【請求項１】
構内交換機と、ＩＰ網を介して前記構内交換機に接続された複数のリモート装置とを有し、
前記リモート装置は、
電話機を収容する少なくとも１つの収容手段と、
前記構内交換機から送信されたＩＰパケットを受信し、当該ＩＰパケットから通話信号を抽出して、当該通話信号の送信先を収容する前記収容手段へ送信すると共に、前記収容手段より受信した通話信号をＩＰパケット化して、前記構内交換機へ送信する制御手段と、を有し、
前記構内交換機は、
前記リモート装置より受信したＩＰパケットの宛先を、当該ＩＰパケットに格納されている通話信号の送信先を収容する前記収容手段を有する前記リモート装置に変更して送信すること
を特徴とする内線電話システム。
【請求項２】
請求項１に記載の内線電話システムであって、
前記リモート装置に接続されたバックアップ用交換機をさらに有し、
前記リモート装置は、
前記構内交換機との接続状態を監視する監視手段をさらに有し、
前記制御手段は、
前記監視手段が前記構内交換機との接続断を検出した場合に、前記バックアップ用交換機から送信されたＩＰパケットを受信し、当該ＩＰパケットから通話信号を抽出して、当該通話信号の送信先を収容する前記収容手段へ送信すると共に、前記収容手段より受信した通話信号をＩＰパケット化して、前記バックアップ用交換機へ送信し、
前記バックアップ用交換機は、
前記リモート装置より受信したＩＰパケットの宛先を、当該ＩＰパケットに格納されている通話信号の送信先を収容する前記収容手段を有する前記リモート装置に変更して送信すること
を特徴とする内線電話システム。
【請求項３】
構内交換機と、ＩＰ網を介して前記構内交換機に接続された複数のリモート装置と、前記リモート装置毎に設けられたバックアップ用交換機とを有し、
前記バックアップ用交換機は、
電話機を収容する少なくとも１つの収容手段と、
前記収容手段に収容された電話機同士を接続するためのスイッチングを行うスイッチ手段と、を有し、
前記リモート装置は、
前記構内交換機から送信されたＩＰパケットを受信し、当該ＩＰパケットから通話信号を抽出して、当該通話信号の送信先を収容する前記収容手段へ送信すると共に、前記収容手段より受信した通話信号をＩＰパケット化し、前記構内交換機へ送信する制御手段と、
前記構内交換機との接続状態を監視する監視手段と、
前記監視手段が前記構内交換機との接続断を検出していない場合に、前記制御手段を、自装置に対応する前記バックアップ用交換機の前記少なくとも１つの収容手段に接続し、当該接続断を検出した場合に、自装置に対応する前記バックアップ用交換機のスイッチ手段を、当該バックアップ用交換機の前記少なくとも１つの収容手段に接続する切換手段と、を有し、
前記構内交換機は、
前記リモート装置より受信したＩＰパケットの宛先を、当該ＩＰパケットに格納されている通話信号の送信先を収容する前記収容手段を有する前記リモート装置に変更して送信すること
を特徴とする内線電話システム。
【請求項４】
請求項１乃至３のいずれか一項に記載の内線電話システムであって、
前記収容手段は、無線基地局に接続され、当該無線基地局を介して無線電話機を収容すること
を特徴とする内線電話システム。
【請求項５】
ＩＰ網を介して構内交換機に接続すると共に、バックアップ用交換機に接続するリモート装置であって、
電話機を収容する少なくとも１つの収容手段と、
構内交換機との接続状態を監視する監視手段と、
前記監視手段が前記構内交換機との接続断を検出していない場合は、前記構内交換機から送信されたＩＰパケットを受信し、当該ＩＰパケットから通話信号を抽出して、当該通話信号の送信先を収容する前記収容手段へ送信すると共に、前記収容手段より受信した通話信号をＩＰパケット化して、前記構内交換機へ送信し、一方、前記監視手段が前記構内交換機との接続断を検出した場合は、前記バックアップ用交換機から送信されたＩＰパケットを受信し、当該ＩＰパケットから通話信号を抽出して、当該通話信号の送信先を収容する前記収容手段へ送信すると共に、前記収容手段より受信した通話信号をＩＰパケット化して、前記バックアップ用交換機へ送信する制御手段と、を有すること
を特徴とするリモート装置。
【請求項６】
ＩＰ網を介して構内交換機に接続すると共に、バックアップ用交換機に接続するリモート装置であって、
前記構内交換機から送信されたＩＰパケットを受信し、当該ＩＰパケットから通話信号を抽出して、前記バックアップ用交換機の当該通話信号の送信先を収容する収容手段へ送信すると共に、前記収容手段より受信した通話信号をＩＰパケット化し、前記構内交換機へ送信する制御手段と、
前記構内交換機との接続状態を監視する監視手段と、
前記監視手段が前記構内交換機との接続断を検出していない場合に、前記制御手段を、前記バックアップ用交換機の前記収容手段に接続し、当該接続断を検出した場合に、前記バックアップ用交換機のスイッチ手段を、当該バックアップ用交換機の前記収容手段に接続する切換手段と、を有すること
を特徴とするリモート装置。
【請求項７】
構内交換機と、ＩＰ網を介して前記構内交換機に接続された複数のリモート装置とを有する内線電話システムの制御方法であって、
前記リモート装置が、前記構内交換機から送信されたＩＰパケットを受信し、当該ＩＰパケットから通話信号を抽出して、当該通話信号の送信先を収容する自装置の収容手段へ送信すると共に、前記収容手段より受信した通話信号をＩＰパケット化して、前記構内交換機へ送信し、
前記構内交換機が、前記リモート装置より受信したＩＰパケットの宛先を、当該ＩＰパケットに格納されている通話信号の送信先を収容する収容手段を有するリモート装置に変更して送信すること
を特徴とする内線電話システムの制御方法。
【発明の詳細な説明】
【技術分野】
【０００１】
本発明は、内線電話の制御技術に関する。
【背景技術】
【０００２】
事業所等の地理的に離れた複数のサイトのそれぞれに、電話機を収容する構内交換機（ＰＢＸ：Private Branch Exchange）を設置し、ＰＢＸ間を専用線で接続することで、異なるサイトに存在する電話機同士の通話を実現する内線電話システムが知られている。このような内線電話システムは、例えば特許文献１に記載されている。
【０００３】
【特許文献１】特開平５-２４４６５９号公報
【発明の開示】
【発明が解決しようとする課題】
【０００４】
特許文献１に記載の技術では、各サイトにＰＢＸを設置している。つまり、サイト毎に内線電話システムを構築している。このため、複数のサイトのそれぞれに置かれた電話機を同じ（共通の）内線電話システムの内線電話機として取り扱うことができない。このため、異なるサイトに置かれた電話機間において、同じ内線電話システムに属することを前提とするサービスを受けることができない。
【０００５】
本発明は上記事情に鑑みてなされたものであり、本発明の目的は、地理的に離れた複数のサイトのそれぞれに置かれた電話機を、同じ内線電話システムの内線電話機として取り扱えるようにすることにある。
【課題を解決するための手段】
【０００６】
上記課題を解決するために、本発明では、地理的に離れた複数のサイトのいずれかに構内交換機を設置し、残りのサイトのそれぞれにリモート装置を設置する。そして、リモート装置に接続された電話機のスイッチングを構内交換機で行わせる。
【０００７】
例えば、本発明の第１の態様の内線電話システムは、構内交換機と、ＩＰ網を介して前記構内交換機に接続された複数のリモート装置とを有する。前記リモート装置は、電話機を収容する少なくとも１つの収容手段と、前記構内交換機から送信されたＩＰパケットを受信し、当該ＩＰパケットから通話信号を抽出して、当該通話信号の送信先を収容する前記収容手段へ送信すると共に、前記収容手段より受信した通話信号をＩＰパケット化して、前記構内交換機へ送信する制御手段と、を有する。前記構内交換機は、前記リモート装置より受信したＩＰパケットの宛先を、当該ＩＰパケットに格納されている通話信号の送信先の電話機を収容する前記収容手段を有する前記リモート装置に変更して送信する。
【０００８】
また、本発明の第２の態様の内線電話システムは、構内交換機と、ＩＰ網を介して前記構内交換機に接続された複数のリモート装置と、前記リモート装置毎に設けられたバックアップ用交換機とを有する。前記バックアップ用交換機は、電話機を収容する少なくとも１つの収容手段と、前記収容手段に収容された電話機同士を接続するためのスイッチングを行うスイッチ手段と、を有する。前記リモート装置は、前記構内交換機から送信されたＩＰパケットを受信し、当該ＩＰパケットから通話信号を抽出して、当該通話信号の送信先を収容する前記収容手段へ送信すると共に、前記収容手段より受信した通話信号をＩＰパケット化し、前記構内交換機へ送信する制御手段と、前記構内交換機との接続状態を監視する監視手段と、前記監視手段が前記構内交換機との接続断を検出していない場合に、自装置の前記制御手段を、自装置に対応する前記バックアップ用交換機の前記少なくとも１つの収容手段に接続し、当該接続断を検出した場合に、自装置に対応する前記バックアップ用交換機のスイッチ手段を、当該バックアップ用交換機の前記少なくとも１つの収容手段に接続する切換手段と、を有する。前記構内交換機は、前記リモート装置より受信したＩＰパケットの宛先を、当該ＩＰパケットに格納されている通話信号の送信先を収容する前記収容手段を有する前記リモート装置に変更して送信する。
【発明の効果】
【０００９】
本発明では、電話機のスイッチングを、リモート装置を介して当該電話機に接続された構内交換機が行う。したがって、本発明によれば、地理的に離れた複数のサイトのそれぞれに置かれた電話機を、同じ内線電話システムの内線電話機として扱うことができる。
【発明を実施するための最良の形態】
【００１０】
以下、本発明の実施の形態を説明する。
【００１１】
<<第１実施形態>>
図１は本発明の第１実施形態が適用された内線電話システムの概略図である。図示するように、本実施形態の内線電話システムは、ＰＢＸ１と、ＩＰ網７を介してＰＢＸ１に接続された複数のリモート装置５と、を有する。図１に示す例では、事業所等の地理的に離れた複数のサイトＡ〜Ｃのうち、サイトＡにＰＢＸ１が設置され、サイトＢ、Ｃそれぞれにリモート装置５が設置されている。
【００１２】
ＰＢＸ１は、ＨＵＢ（ハブ）２を介してＩＰ網７に接続されており、電話機３および/または無線基地局４を少なくとも１つ収容する。
【００１３】
図２はＰＢＸ１の概略構成図である。図示するように、ＰＢＸ１は、スイッチングを行うＳＷ（スイッチ）部１０１と、内線電話機を収容する内線電話機ＩＦ（インターフェース）部１０２と、無線基地局を収容する無線基地局ＩＦ部１０３と、ＩＦ制御部１０４と、ＨＵＢ２を介してＩＰ網７と接続するＩＰ網ＩＦ部１０５と、ＩＦ制御部１０６と、主制御部１０９と、を有する。
【００１４】
ＩＦ制御部１０４は、少なくとも１つの内線電話機ＩＦ部１０２および/または少なくとも１つの無線基地局ＩＦ部１０３と接続すると共に、複数の信号線１０７を介してＳＷ部１０１と接続する。そして、主制御部１０９よりの指示に従い、内線電話機ＩＦ部１０２、無線基地局ＩＦ部１０３とＳＷ部１０１との間の信号送受を中継する。具体的には、ＩＦ制御部１０４は、主制御部１０９よりの指示に従い、自身と接続するいずれかのＩＦ部１０２、１０３を、いずれかの信号線１０７に対応付ける。そして、信号線１０７から入力した信号を当該信号線１０７に対応付けられたＩＦ部１０２、１０３を出力すると共に、ＩＦ部１０２、１０３から入力した信号を当該ＩＦ部１０２、１０３に対応付けられた信号線１０７に出力する。なお、図２に示す例では、ＩＦ制御部１０４が２つ設けられているが、ＩＦ制御部１０４の数はこれに限定されない。
【００１５】
ＩＰ網ＩＦ部１０５は、内線電話システムに接続された全ての電話機３および無線基地局４の各々について、識別情報と、収容先のリモート装置５あるいはＰＢＸ１のＩＰアドレスとの対応関係が登録された変換テーブル１０５１を有する。ＩＰ網ＩＦ部１０５は、ＨＵＢ２を介してＩＰ網７から自装置宛てのＩＰパケットを受信し、当該ＩＰパケットから識別情報が付加された信号を抽出して、ＩＦ制御部１０６に出力する。また、ＩＦ制御部１０６から入力した、識別情報が付加された信号をＩＰパケット化し、当該信号に付加された識別情報に対応付けられて変換テーブル１０５１に登録されているＩＰアドレスを宛先として、ＨＵＢ２を介してＩＰ網７に送信する。
【００１６】
ＩＦ制御部１０６は、ＩＰ網ＩＦ部１０５と接続すると共に、複数の信号線１０８を介してＳＷ部１０１と接続する。そして、主制御部１０９よりの指示に従い、ＩＰ網ＩＦ部１０５とＳＷ部１０１との間の信号送受を中継する。具体的には、ＩＦ制御部１０６は、主制御部１０９よりの指示に従い、信号線１０８を電話機３あるいは無線基地局４の識別情報に対応付ける。そして、信号線１０８から入力した信号に当該信号線１０８に対応付けられた識別情報を付加して、ＩＰ網ＩＦ部１０５へ出力すると共に、ＩＰ網ＩＦ部１０５から入力した信号を、当該信号に付加された識別情報に対応付けられた信号線１０８に出力する。
【００１７】
主制御部１０９は、ＰＢＸ１の各部を制御する。具体的には、ＳＷ部１０１を制御して信号線１０７、１０８間の接続を切り換える。また、ＩＦ制御部１０４を制御して、内線電話ＩＦ部１０２、無線基地局ＩＦ部１０３と信号線１０７との対応関係を変更する。また、ＩＦ制御部１０６を制御して、信号線１０８と電話機３、無線基地局４の識別情報との対応関係を変更する。これにより、内線電話機ＩＦ部１０２、無線基地局ＩＦ部１０３およびＩＰ網ＩＦ部１０５間の接続を切り換える（スイッチング）。
【００１８】
リモート装置５は、ＨＵＢ２を介してＩＰ網７に接続されており、電話機３および/または無線基地局４を少なくとも１つ収容する。
【００１９】
図３はリモート装置５の概略構成図である。図示するように、リモート装置５は、ＨＵＢ２を介してＩＰ網７と接続するＩＰ網ＩＦ部５０１と、内線電話機を収容する内線電話機ＩＦ部５０３と、無線基地局を収容する無線基地局ＩＦ部５０４と、ＩＦ制御部５０５と、障害監視部５０６と、を有する。
【００２０】
ＩＰ網ＩＦ部５０１は、ＨＵＢ２を介してＩＰ網７から自装置宛てのＩＰパケットを受信し、当該ＩＰパケットから識別情報が付加された信号を抽出して、ＩＦ制御部５０５に出力する。また、ＩＦ制御部５０５から入力した、識別情報が付加された信号をＩＰパケット化し、障害監視部５０６より指定されたＩＰアドレスを宛先として送信する。
【００２１】
障害監視部５０６は、定期的に、ライフサイクルチェック用のＩＰパケットを、ＩＰ網ＩＦ部５０１を介してＰＢＸ１へ送信し、その応答パケットの有無を確認する。これにより、ＰＢＸ１との接続断を検出する。そして、ＰＢＸ１との接続断を検出していない場合は、送信するＩＰパケットの宛先をＰＢＸ１のＩＰアドレスとし、検出した場合は、リモート装置５と同じＨＵＢ２に接続された（同じサイトに設置された）バックアップ用のＩＰ-ＰＢＸ６のＩＰアドレスに変更する。なお、障害監視部５０６は、ＰＢＸ１との接続状態（接続断しているか否か）を示す表示部を備えていてもよい。
【００２２】
ＩＦ制御部５０５は、ＩＰ網ＩＦ部５０１と接続すると共に、少なくとも１つの内線電話機ＩＦ部５０３および/または少なくとも１つの無線基地局ＩＦ部５０４と接続する。そして、ＩＰ網ＩＦ部５０１と内線電話機ＩＦ部５０３、無線基地局ＩＦ部５０４との間の信号送受を中継する。具体的には、ＩＦ制御部５０５は、ＩＰ網ＩＦ部５０１から入力した信号を当該信号に付加された識別情報により特定される内線電話機ＩＦ部５０３、無線基地局ＩＦ部５０４へ出力すると共に、内線電話機ＩＦ部５０３、無線基地局ＩＦ部５０４から入力した信号に、出力元の識別情報を付加してＩＰ網ＩＦ部５０１に出力する。
【００２３】
ＩＰ-ＰＢＸ６は、同じサイトに設置されているリモート装置５が収容する電話機３、無線基地局４のバックアップ用ＰＢＸである。
【００２４】
図４はＩＰ-ＰＢＸ６の概略構成図である。図示するように、ＳＷ部６０１と、主制御部６０９と、を有する。ＳＷ部６０１は、同じサイトに属する電話機３および無線基地局４のうち、互いに通話状態にある組の識別情報が登録された変換テーブル６０１１を有する。ＳＷ部６０１は、ＨＵＢ２を介して同じサイトに設置されたリモート装置５から自装置宛てのＩＰパケットを受信し、当該ＩＰパケットに格納されている信号に付加されている識別情報を、当該識別情報に対応付けられて変換テーブル６０１１に登録されている通話相手の識別情報に変更する。それから、このＩＰパケットを、ＨＵＢ２を介して同じサイトに設置されたリモート装置５へ送信する。主制御部６０９は、ＳＷ部６０１を制御する。具体的には、同じサイトに属する電話機３および/または無線基地局４間の通話状態を監視して、変換テーブル６０１１を更新する。
【００２５】
次に、サイトＣに設置されたいずれかの電話機３（電話機Ａと呼ぶ）と、同じサイトＣに設置された他のいずれかの電話機３（電話機Ｂと呼ぶ）との間で電話をする場合を例にとり、本実施形態の内線電話システムの動作について説明する。
【００２６】
先ず、サイトＣに設置されたリモート装置５とサイトＡに設置されたＰＢＸ１との間が接続断していない場合における動作シーケンスを図５を用いて説明する。
【００２７】
先ず、電話機Ａが通話信号をリモート装置５に送信すると（Ｓ１０１）、リモート装置５において、電話機Ａに対応する内線電話機ＩＦ部５０３は、この通話信号を受信する。次に、ＩＦ制御部５０５は、当該通話信号に出力元である電話機Ａの識別情報を付加して、ＩＰ網ＩＦ部５０１に出力する。それから、ＩＰ網ＩＦ部５０１は、電話機Ａの識別情報が付加された通話信号をＩＰパケット化し（Ｓ１０２）、障害監視部５０６より指定されたＩＰアドレスを宛先として、サイトＣに設置されたＨＵＢ２に出力する（Ｓ１０３）。リモート装置５とＰＢＸ１との間が接続断していない場合、障害監視部５０６は、ＰＢＸ１のＩＰアドレスを宛先に指定する。したがって、リモート装置５から出力されたＩＰパケットは、サイトＣに設置されたＨＵＢ２を介してＩＰ網７へ送信され（Ｓ１０４）、サイトＡのＨＵＢ２を介してＰＢＸ１に到達する（Ｓ１０５）。
【００２８】
次に、ＰＢＸ１において、ＩＰ網ＩＦ部１０５は、サイトＡに設置されたＨＵＢ２を介して自装置宛のＩＰパケットを受信すると、当該ＩＰパケットから電話機Ａの識別情報が付加された通話信号を抽出して、ＩＦ制御部１０６に出力する。ＩＦ制御部１０６は、ＩＰ網ＩＦ部１０５から入力した通話信号を、当該通話信号に付加された電話機Ａの識別情報に対応付けられた信号線１０８に出力する。ここで、主制御部１０９は、電話機Ａの識別情報に対応付けられた信号線１０８と、電話機Ｂの識別情報に対応付けられた信号線１０８とが接続するようにＳＷ部１０１を制御している。このため、電話機Ａの識別情報に対応付けられた信号線１０８に入力された通話信号は、電話機Ｂの識別情報に対応付けられた信号線１０８から出力される。ＩＦ制御部１０６は、電話機Ｂの識別情報に対応付けられた信号線１０８から出力された通話信号に電話機Ｂの識別情報を付加して、ＩＰ網ＩＦ部１０５へ出力する。ＩＰ網ＩＦ部１０５は、ＩＦ制御部１０６から出力された、電話機Ｂの識別情報が付加された通話信号をＩＰパケット化し、当該通話信号に付加された電話機Ｂの識別情報に対応付けられて変換テーブル１０５１に登録されているＩＰアドレス（サイトＣに設置されたリモート装置５のＩＰアドレス）を宛先として、サイトＡに設置されたＨＵＢ２に出力する（Ｓ１０６）。したがって、ＰＢＸ１から出力されたＩＰパケットは、サイトＡに設置されたＨＵＢ２を介してＩＰ網７へ送信され（Ｓ１０７、Ｓ１０８）、サイトＣのＨＵＢ２を介してリモート装置５に到達する（Ｓ１０９）。
【００２９】
次に、リモート装置５において、ＩＰ網ＩＦ部５０１は、サイトＣに設置されたＨＵＢ２を介してＩＰ網７から自装置宛てのＩＰパケットを受信すると、当該ＩＰパケットから電話機Ｂの識別情報が付加された通話信号を抽出して、ＩＦ制御部５０５に出力する。ＩＦ制御部５０５は、ＩＰ網ＩＦ部５０１から出力された通話信号を当該通話信号に付加された電話機Ｂの識別情報により特定される内線電話機ＩＦ部５０３へ出力する（Ｓ１１０）。これにより、電話機Ａよりの通話信号が電話機Ｂへ送信される（Ｓ１１１）。
【００３０】
なお、図５は通話信号が電話機Ａから電話機Ｂへ伝送する場合を示しているが、電話機Ｂから電話機Ａへ伝送する場合も同様である。
【００３１】
次に、サイトＣに設置されたリモート装置５とサイトＡに設置されたＰＢＸ１との間が接続断している場合における動作シーケンスを図６を用いて説明する。
【００３２】
先ず、電話機Ａが通話信号をリモート装置５に送信すると（Ｓ２０１）、リモート装置５において、電話機Ａに対応する内線電話機ＩＦ部５０３は、この通話信号を受信する。次に、ＩＦ制御部５０５は、当該通話信号に出力元である電話機Ａの識別情報を付加して、ＩＰ網ＩＦ部５０１に出力する。それから、ＩＰ網ＩＦ部５０１は、電話機Ａの識別情報が付加された通話信号をＩＰパケット化し（Ｓ２０２）、障害監視部５０６より指定されたＩＰアドレスを宛先として、サイトＣに設置されたＨＵＢ２に出力する（Ｓ２０３）。リモート装置５とＰＢＸ１との間が接続断している場合、障害監視部５０６は、同じサイトＣに設置されたＩＰ-ＰＢＸ６のＩＰアドレスを宛先に指定する。したがって、リモート装置５から出力されたＩＰパケットは、サイトＣに設置されたＨＵＢ２を介して、同じサイトＣのＩＰ-ＰＢＸ６に到達する（Ｓ２０４）。
【００３３】
次に、ＩＰ-ＰＢＸ６において、ＳＷ部６０１は、ＨＵＢ２を介して同じサイトＣに設置されたリモート装置５から自装置宛てのＩＰパケットを受信すると、当該ＩＰパケットに格納されている通話信号に付加されている電話番号Ａの識別情報を、当該識別情報に対応付けられて変換テーブル６０１１に登録されている電話番号Ｂ（通話相手）の識別情報に変更する（Ｓ２０５）。そして、このＩＰパケットの宛先を、同じサイトＣに設置されたリモート装置５に変更して、ＨＵＢ２へ出力する（Ｓ２０６）。したがって、ＩＰ-ＰＢＸ６から出力されたＩＰパケットは、サイトＣに設置されたＨＵＢ２を介して、同じサイトＣのリモート装置５に到達する（Ｓ２０７）。
【００３４】
次に、リモート装置５において、ＩＰ網ＩＦ部５０１は、サイトＣに設置されたＨＵＢ２を介してＩＰ-ＰＢＸ６から自装置宛てのＩＰパケットを受信すると、当該ＩＰパケットから電話機Ｂの識別情報が付加された通話信号を抽出して、ＩＦ制御部５０５に出力する。ＩＦ制御部５０５は、ＩＰ網ＩＦ部５０１から出力された通話信号を当該通話信号に付加された電話機Ｂの識別情報により特定される内線電話機ＩＦ部５０３へ出力する（Ｓ２０８）。これにより、電話機Ａよりの通話信号が電話機Ｂへ送信される（Ｓ２０９）。
【００３５】
なお、図６は通話信号が電話機Ａから電話機Ｂへ伝送する場合を示しているが、電話機Ｂから電話機Ａへ伝送する場合も同様である。
【００３６】
以上、本発明の第１実施形態を説明した。本実施形態では、電話機（無線電話機を含む）のスイッチングを、リモート装置５を介して当該電話機に接続されたＰＢＸ１が行う。したがって、本実施形態によれば、地理的に離れた複数のサイトＡ〜Ｃのそれぞれに置かれた電話機を、同じ内線電話システムの内線電話機として扱うことができる。
【００３７】
<<第２実施形態>>
図７は本発明の第２実施形態が適用された内線電話システムの概略図である。図示するように、本実施形態の内線電話システムが図１に示す第１実施形態と異なる点は、リモート装置５に代えてリモート装置９を設けた点、および、ＩＰ-ＰＢＸ６に代えてＰＢＸ８を設けた点である。
【００３８】
図８はＰＢＸ８およびリモート装置９の概略図である。図示するように、ＰＢＸ８は、スイッチングを行うＳＷ部８０１と、内線電話機を収容する内線電話機ＩＦ部８０２と、無線基地局を収容する無線基地局ＩＦ部８０３と、ＩＦ制御部８０４と、主制御部８０９と、を有する。
【００３９】
ＩＦ制御部８０４は、少なくとも１つの内線電話機ＩＦ部８０２および/または少なくとも１つの無線基地局ＩＦ部８０３と接続すると共に、リモート装置９から引き出された複数の信号線８０８と接続する。そして、主制御部８０９よりの指示に従い、内線電話機ＩＦ部８０２、無線基地局８０３と信号線８０８との間の信号送受を中継する。具体的には、ＩＦ制御部８０４は、主制御部８０９よりの指示に従い、自身と接続するいずれかのＩＦ部８０２、８０３を、いずれかの信号線８０８に対応付ける。そして、信号線８０８から入力した信号を当該信号線８０８に対応付けられたＩＦ部８０２、８０３を出力すると共に、ＩＦ部８０２、８０３から入力した信号を当該ＩＦ部８０２、８０３に対応付けられた信号線８０８に出力する。
【００４０】
主制御部８０９は、ＰＢＸ８の各部を制御する。具体的には、ＳＷ部８０１を制御して、ＳＷ部８０１と接続する複数の信号線８０７間の接続を切り換える。また、ＩＦ制御部８０４を制御して、内線電話ＩＦ部８０２、無線基地局ＩＦ部８０３と信号線８０８との対応関係を変更する。また、後述するリモート装置９のＩＦ制御部９０２を制御して、信号線９０７と電話機３あるいは無線基地局４の識別情報との対応関係を変更する。
【００４１】
また、リモート装置９は、ＨＵＢ２を介してＩＰ網７と接続するＩＰ網ＩＦ部９０１と、ＩＦ制御部９０２と、切換部９０４と、障害監視部９０６と、を有する。
【００４２】
ＩＰ網ＩＦ部９０１は、ＨＵＢ２を介してＩＰ網７から自装置宛てのＩＰパケットを受信し、当該ＩＰパケットから識別情報が付加された信号を抽出して、ＩＦ制御部９０２に出力する。また、ＩＦ制御部９０２から入力した、識別情報が付加された信号をＩＰパケット化し、サイトＡに設置されたＰＢＸ１のＩＰアドレスを宛先として送信する。
【００４３】
ＩＦ制御部９０２は、ＩＰ網ＩＦ部９０１と接続すると共に、複数の信号線９０７と接続する。そして、ＰＢＸ８の主制御部８０９よりの指示に従い、ＩＰ網ＩＦ部９０１と信号線９０７との間の信号送受を中継する。具体的には、ＩＦ制御部９０２は、ＰＢＸ８の主制御部８０９よりの指示に従い、信号線９０７を電話機３あるいは無線基地局４の識別情報に対応付ける。そして、信号線９０７から入力した信号に当該信号線９０７に対応付けられた識別情報を付加して、ＩＰ網ＩＦ部９０１へ出力すると共に、ＩＰ網ＩＦ部９０１から入力した信号を、当該信号に付加された識別情報に対応付けられた信号線９０７に出力する。
【００４４】
切換部９０４は、障害監視部９０６の指示に従い、ＩＦ制御部９０２に接続された信号線９０７およびＰＢＸ８のＳＷ部８０１に接続された信号線８０７のいずれか一方を、ＰＢＸ８のＩＦ制御部８０４に接続する。ここで、信号線９０７、８０７、８０８各々の本数は同じである。また、信号線９０７、８０７の１番目が信号線８０８の１番目に接続するといったように、接続する信号線間の対応関係が固定されている。
【００４５】
障害監視部９０６は、定期的に、ライフサイクルチェック用のＩＰパケットを、ＩＰ網ＩＦ部９０１を介してＰＢＸ１へ送信し、その応答パケットの有無を確認する。これにより、ＰＢＸ１との接続断を検出する。そして、ＰＢＸ１との接続断を検出していない場合は、切換部９０４を制御し、信号線９０７および信号線８０８を接続する。これにより、ＰＢＸ８のＩＦ制御部８０４がＩＦ制御部９０２に接続される。一方、ＰＢＸ１との接続断を検出した場合は、切換部９０４を制御し、信号線８０７および信号線８０８を接続する。これにより、ＰＢＸ８のＩＦ制御部８０４がＰＢＸ８のＳＷ部８０１に接続される。
【００４６】
次に、サイトＣに設置されたいずれかの電話機３（電話機Ａと呼ぶ）と、同じサイトＣに設置された他のいずれかの電話機３（電話機Ｂと呼ぶ）との間で電話をする場合を例にとり、本実施形態の内線電話システムの動作について説明する。
【００４７】
先ず、サイトＣに設置されたリモート装置９とサイトＡに設置されたＰＢＸ１との間が接続断していない場合における動作シーケンスを図９を用いて説明する。
【００４８】
先ず、電話機Ａが通話信号を出力すると（Ｓ３０１）、ＰＢＸ８において、電話機Ａに対応する内線電話機ＩＦ部８０２は、この通話信号を受信する。次に、ＩＦ制御部８０４は、この通話信号を、主制御部８０９により電話機Ａに対応する内線電話機ＩＦ部８０２に対応付けられた信号線８０８へ出力する（Ｓ３０２）。
【００４９】
リモート装置９において、障害監視部９０６は、リモート装置９とＰＢＸ１との間が接続断していない場合、信号線９０７と信号線８０８とを接続するように切換部９０４を制御する。したがって、電話機Ａの通話信号は、ＰＢＸ８の主制御部８０９により電話機Ａに対応付けられた信号線９０７を介してＩＦ制御部９０２に送信される。これを受けて、ＩＦ制御部９０２は、当該通話信号に電話機Ａの識別情報を付加して、ＩＰ網ＩＦ部９０１に出力する。それから、ＩＰ網ＩＦ部９０１は、電話機Ａの識別情報が付加された通話信号をＩＰパケット化し（Ｓ３０３）、ＰＢＸ１のＩＰアドレスを宛先として、サイトＣに設置されたＨＵＢ２に出力する（Ｓ３０４）。したがって、リモート装置９から出力されたＩＰパケットは、サイトＣに設置されたＨＵＢ２を介してＩＰ網７へ送信され（Ｓ３０５）、サイトＡのＨＵＢ２を介してＰＢＸ１に到達する（Ｓ３０６）。
【００５０】
次に、ＰＢＸ１において、ＩＰ網ＩＦ部１０５は、サイトＡに設置されたＨＵＢ２を介して自装置宛のＩＰパケットを受信すると、当該ＩＰパケットから電話機Ａの識別情報が付加された通話信号を抽出して、ＩＦ制御部１０６に出力する。ＩＦ制御部１０６は、ＩＰ網ＩＦ部１０５から入力した通話信号を、当該通話信号に付加された電話機Ａの識別情報に対応付けられた信号線１０８に出力する。ここで、主制御部１０９は、電話機Ａの識別情報に対応付けられた信号線１０８と、電話機Ｂの識別情報に対応付けられた信号線１０８とが接続するようにＳＷ部１０１を制御している。このため、電話機Ａの識別情報に対応付けられた信号線１０８に入力された通話信号は、電話機Ｂの識別情報に対応付けられた信号線１０８から出力される。ＩＦ制御部１０６は、電話機Ｂの識別情報に対応付けられた信号線１０８から出力された通話信号に電話機Ｂの識別情報を付加して、ＩＰ網ＩＦ部１０５へ出力する。ＩＰ網ＩＦ部１０５は、ＩＦ制御部１０６から出力された、電話機Ｂの識別情報が付加された通話信号をＩＰパケット化し、当該通話信号に付加された電話機Ｂの識別情報に対応付けられて変換テーブル１０５１に登録されているＩＰアドレス（サイトＣに設置されたリモート装置９のＩＰアドレス）を宛先として、サイトＡに設置されたＨＵＢ２に出力する（Ｓ３０７）。したがって、ＰＢＸ１から出力されたＩＰパケットは、サイトＡに設置されたＨＵＢ２を介してＩＰ網７へ送信され（Ｓ３０８、Ｓ３０９）、サイトＣのＨＵＢ２を介してリモート装置９に到達する（Ｓ３１０）。
【００５１】
次に、リモート装置９において、ＩＰ網ＩＦ部９０１は、サイトＣに設置されたＨＵＢ２を介してＩＰ網７から自装置宛てのＩＰパケットを受信すると、当該ＩＰパケットから電話機Ｂの識別情報が付加された通話信号を抽出して、ＩＦ制御部９０２に出力する。ＩＦ制御部９０２は、この通話信号を、ＰＢＸ８の主制御部８０９により電話機Ｂの識別情報に対応付けられた信号線９０７へ出力する（Ｓ３１１）。さて、障害監視部９０６は、リモート装置９とＰＢＸ１との間が接続断していない場合、信号線９０７と信号線８０８とを接続するように切換部９０４を制御する。したがって、この通話信号は、電話機Ｂの識別情報に対応付けられた信号線８０８を介して、ＰＢＸ８のＩＦ制御部８０４に送信される（Ｓ３１２）。これを受けて、ＩＦ制御部８０４は、通話信号を電話機Ｂに対応する内線電話機ＩＦ部８０２へ出力する。これにより、電話機Ａよりの通話信号が電話機Ｂへ送信される（Ｓ３１３）。
【００５２】
なお、図９は通話信号が電話機Ａから電話機Ｂへ伝送する場合を示しているが、電話機Ｂから電話機Ａへ伝送する場合も同様である。
【００５３】
次に、サイトＣに設置されたリモート装置９とサイトＡに設置されたＰＢＸ１との間が接続断している場合における動作シーケンスを図１０を用いて説明する。
【００５４】
先ず、電話機Ａが通話信号を出力すると（Ｓ４０１）、ＰＢＸ８において、電話機Ａに対応する内線電話機ＩＦ部８０２は、この通話信号を受信する。次に、ＩＦ制御部８０４は、この通話信号を、主制御部８０９により電話機Ａに対応する内線電話機ＩＦ部８０２に対応付けられた信号線８０８へ出力する（Ｓ４０２）。
【００５５】
リモート装置９において、障害監視部９０６は、リモート装置９とＰＢＸ１との間が接続断している場合、信号線８０７と信号線８０８とを接続するように切換部９０４を制御する。したがって、電話機Ａに対応する内線電話機ＩＦ部８０２に対応付けられた信号線８０８上を伝送する電話機Ａの通話信号は、ＰＢＸ８の主制御部８０９により電話機Ａに対応する内線電話機ＩＦ部８０２に対応付けられた信号線８０７を介して、ＰＢＸ８のＳＷ部８０１に送信される（Ｓ４０３）。ＰＢＸ８の主制御部８０９は、電話機Ａに対応する内線電話機ＩＦ部８０２に対応付けられた信号線８０７と、電話機Ｂに対応する内線電話機ＩＦ部８０２に対応付けられた信号線８０７とが接続するようにＳＷ部８０１を制御している。このため、電話機Ａに対応する内線電話機ＩＦ部８０２に対応付けられた信号線８０７に入力された通話信号は、電話機Ｂに対応する内線電話機ＩＦ部８０２に対応付けられた信号線８０７から出力され（Ｓ４０４）、リモート装置９へ送信される（Ｓ４０５）。
【００５６】
上述したように、リモート装置９の切換部９０４は、信号線８０７と信号線８０８とを接続する。このため、電話機Ｂに対応する内線電話機ＩＦ部８０２に対応付けられた信号線８０７上を伝送する電話機Ａよりの通話信号は、ＰＢＸ８の主制御部８０９により電話機Ｂに対応する内線電話機ＩＦ部８０２に対応付けられた信号線８０８を介して、電話機Ｂに対応する内線電話機ＩＦ部８０２に送信される（Ｓ４０６）。電話機Ｂに対応する内線電話機ＩＦ部８０２は、この電話機Ａよりの通話信号を電話機Ｂへ送信する（Ｓ４０７）。
【００５７】
なお、図１０は通話信号が電話機Ａから電話機Ｂへ伝送する場合を示しているが、電話機Ｂから電話機Ａへ伝送する場合も同様である。
【００５８】
以上、本発明の第２実施形態を説明した。本実施形態では、リモート装置９の切換部９０４により、ＰＢＸ８のＩＦ制御部８０４の接続相手を、リモート装置９のＩＦ制御部９０２およびＰＢＸ８のＳＷ部８０１のいずれかに切り換える。このようにすることにより、ＰＢＸ８が備えるＩＦ制御部８０４を、リモート装置９およびＰＢＸ１間が接続断していない通常動作（図９参照）、および、リモート装置９およびＰＢＸ１間が接続断しているバックアップ動作（図１０参照）の両方で共用できる。本実施形態では、既存のＰＢＸをＰＢＸ８に利用することができる。
【００５９】
なお、本発明は上記の各実施形態に限定されるものではなく、その要旨の範囲内で数々の変形が可能である。例えば、上記の各実施形態において、リモート装置の電源を同じサイトに設置されたバックアップ用のＰＢＸから給電するようにしてもよい。また、上記の各実施形態では呼制御手順を別段説明していないが、呼制御手順にはＳＩＰ（Session Initiation Protocol）やＴＴＣ（The Telecommunication Technology Committee）標準のＨ.３２３等の既存のものを用いることができる。
【図面の簡単な説明】
【００６０】
【図１】図１は本発明の第１実施形態が適用された内線電話システムの概略図である。
【図２】図２はＰＢＸ１の概略構成図である。
【図３】図３はリモート装置５の概略構成図である。
【図４】図４はＩＰ-ＰＢＸ６の概略構成図である。
【図５】図５はサイトＣに設置されたリモート装置５とサイトＡに設置されたＰＢＸ１との間が接続断していない場合における第１実施形態の動作シーケンスを示す図である。
【図６】図６はサイトＣに設置されたリモート装置５とサイトＡに設置されたＰＢＸ１との間が接続断している場合における第１実施形態の動作シーケンスを示す図である。
【図７】図７は本発明の第２実施形態が適用された内線電話システムの概略図である。
【図８】図８はＰＢＸ８およびリモート装置９の概略図である。
【図９】図９はサイトＣに設置されたリモート装置９とサイトＡに設置されたＰＢＸ１との間が接続断していない場合における第２実施形態の動作シーケンスを示す図である。
【図１０】図１０はサイトＣに設置されたリモート装置９とサイトＡに設置されたＰＢＸ１との間が接続断している場合における第１実施形態の動作シーケンスを示す図である。
【符号の説明】
【００６１】
１…ＰＢＸ、２…ＨＵＢ、３…電話機、４…無線基地局、５…リモート装置、６…ＩＰ-ＰＢＸ、７…ＩＰ網、８…ＰＢＸ、９…リモート装置、１０１…ＳＷ部、１０２…内線電話機ＩＦ部、１０３…無線基地局ＩＦ部、１０４…ＩＦ制御部、１０５…ＩＰ網ＩＦ部、１０６…ＩＦ制御部、１０７…信号線、１０８…信号線、１０９…主制御部、５０１…ＩＰ網ＩＦ部、５０３…内線電話機ＩＦ部、５０４…無線基地局ＩＦ部、５０５…ＩＦ制御部、５０６…障害監視部、６０１…ＳＷ部、６０９…主制御部、８０１…ＳＷ部、８０２…内線電話機ＩＦ部、８０３…無線基地局ＩＦ部、８０４…ＩＦ制御部、８０７…信号線、８０８…信号線、８０９…主制御部、９０１…ＩＰ網ＩＦ部、９０２…ＩＦ制御部、９０４…切換部、９０６…障害監視部、９０７…信号線
【図１】
2006067372.tif 000003
【図２】
2006067372.tif 000004
【図３】
2006067372.tif 000005
【図４】
2006067372.tif 000006
【図５】
2006067372.tif 000007
【図６】
2006067372.tif 000008
【図７】
2006067372.tif 000009
【図８】
2006067372.tif 000010
【図９】
2006067372.tif 000011
【図１０】
2006067372.tif 000012